(57)【要約】本発明は、移動端末への送信のために、パケットデータストリームにおけるパケットを異なる基地局へ割り当てるセルラ通信システムにおける装置、制御装置及び方法に関する。制御装置は、メインキューにおいてパケットデータストリームを受信し、移動端末と通信するために十分な信号強度を有する複数の基地局を特定する。データ分配器は、当該データストリームを、当該データストリームからの異なるデータパケットを含む多数のサブストリームに分配する。当該サブストリームは、多数のサブキューにバッファリングされ、各サブキューは異なる基地局に接続される。パケットは、各サブキューで等しいパケット数を維持するように、又は各サブストリームについて特定のサービス品質レベルを維持するように、サブキューに割り当てられる。基地局は移動端末に対してサブストリームを独立に送信する。マクロダイバーシチ利得を高めるために、パケットに対して誤り制御符号が適用されてもよい。
2010502098.tif 000002
【特許請求の範囲】
【請求項１】
パケット交換方式のセルラ通信システムにおける、パケットデータストリームを移動端末に送信する装置であって、
前記パケットデータストリームを、該パケットデータストリームからの異なる複数のデータパケットを含む複数のサブストリームに分割するデータ分配器と、
前記移動端末に対する送信のために、前記移動端末との通信において異なる基地局に各サブストリームを送信する送信手段と
を備えることを特徴とする装置。
【請求項２】
各基地局に、リソース割り当ての決定を局所的に行う手段を更に備えることを特徴とする請求項１に記載の装置。
【請求項３】
各基地局及び前記移動端末に、他の複数の基地局から独立して、自動再送要求（ＡＲＱ）信号を交換する手段を更に備えることを特徴とする請求項１に記載の装置。
【請求項４】
前記データ分配器は、制御装置に設置され、
前記制御装置は、
前記パケットデータストリームを受信するために通信ネットワークに接続された入力部と、前記データ分配器の入力部に接続された出力部とを有し、前記パケットデータストリームをキューに入れ、前記パケットデータストリームを前記データ分配器へ提供するメインキューと、
前記データ分配器から前記サブストリームの１つを受信するために、前記データ分配器の出力部に接続された入力部と、接続された前記基地局に前記サブストリームを送信するために、異なる複数の前記基地局のうちの１つへのコネクションに接続される出力部とを有する複数のサブキューと
を備えることを特徴とする請求項１に記載の装置。
【請求項５】
前記制御装置は、
複数の前記サブキューから前記データ分配器へ、各サブキューにおけるパケット数を含むフィードバック情報を提供するフィードバック部を更に備え、
前記データ分配器は、
前記フィードバック情報に基づいて、各サブキューにパケットを割り当てるパケット流量調整部を備えることを特徴とする請求項４に記載の装置。
【請求項６】
前記制御装置は、
全サブストリームに対して、維持されるべきサービス品質レベルを指定する手段を更に備え、
前記フィードバック情報は、
各基地局のトラフィック負荷に関する情報を含み、
前記パケット流量調整部は、
前記フィードバック情報に基づいて、各サブキューにパケットを割り当てることを特徴とする請求項５に記載の装置。
【請求項７】
前記制御装置は、
各サブストリームに対して、維持されるべき異なるサービス品質レベルを指定する手段を更に備え、
前記フィードバック情報は、
各基地局のトラフィック負荷に関する情報を含み、
前記パケット流量調整部は、
前記フィードバック情報に基づいて、各サブキューにパケットを割り当てることを特徴とする請求項５に記載の装置。
【請求項８】
前記基地局への前記コネクションのうちの１つは、主コネクションと指定され、１以上の他のコネクションは、二次的なコネクションとして指定され、
前記パケット流量調整部は、
各基地局における前記トラフィック負荷によって前記二次的なコネクションのためのサービス品質を変化させることを可能にする一方で、前記主コネクションのために指定されたサービス品質を維持するために、各サブキューにパケットを割り当てることを特徴とする請求項７に記載の装置。
【請求項９】
前記制御装置は、
前記メインキューから複数の情報ビットのブロックを受信し、符号語を形成する該複数の情報ビットに対して誤り制御符号化を適用するために、前記メインキューと前記データ分配器との間に誤り制御符号器を更に備え、
前記符号語の前記複数の情報ビットは、
前記パケットデータストリームの複数のパケットに渡ってインタリーブされることを特徴とする請求項５に記載の装置。
【請求項１０】
前記データ分配器は、
前記符号語の異なる複数のビットを含むパケットを異なる複数のサブストリームに送信し、それにより前記符号語の異なるビットが異なる基地局によって前記移動端末に対して送信され、
前記移動端末によって受信されるデータはダイバーシチ効果を受けることを特徴とする請求項９に記載の装置。
【請求項１１】
前記移動端末に干渉抑圧受信機を更に備え、
前記干渉抑圧受信機は、
複数の受信信号の知識に基づいて、自セル干渉と他セル干渉とを抑圧する抑圧手段を備えることを特徴とする請求項１に記載の装置。
【請求項１２】
前記干渉抑圧受信機は、Ｇ−ＲＡＫＥ受信機であり、
前記抑圧手段は、
受信信号を復調するためのチャネル推定値を算出するチャネル推定器と、
前記チャネル推定値に基づいて、前記受信信号を干渉信号としてモデリングする手段と、
別の信号を復調する一方で干渉を軽減するために、モデリングされた前記干渉信号を使用する手段とを備えることを特徴とする請求項１１に記載の装置。
【請求項１３】
前記移動端末は、
前記Ｇ−ＲＡＫＥ受信機に接続された複数の受信アンテナを備えることを特徴とする請求項１２に記載の装置。
【請求項１４】
パケット交換方式のセルラ通信システムにおいて、移動端末への送信のためにパケットデータストリームのパケットを異なる基地局に割り当てる方法であって、
制御装置において、前記パケットデータストリームを受信する受信ステップと、
前記移動端末と通信するために十分な信号強度を有する複数の基地局を特定する特定ステップと、
前記パケットデータストリームを、該パケットデータストリームからの異なる複数のデータパケットを含む、前記複数の基地局と等しいか、又はそれより少ない多数のサブストリームに分割する分割ステップと、
各サブストリームを、前記複数の基地局の中で１つの関連する基地局へ送信する送信ステップと、
各基地局に対する伝送速度を決定する決定ステップと、
前記関連する基地局に対する決定された伝送速度に基づいて、各サブストリームにパケットを割り当てる割当ステップと
を含むことを特徴とする方法。
【請求項１５】
前記決定ステップは、
各サブストリームを、前記関連する基地局へのコネクションを有するサブキューに入力するステップと、
各サブキューに残存するデータパケットの数を検出することによって、各基地局に対する前記伝送速度を決定するステップと
を含むことを特徴とする請求項１４に記載の方法。
【請求項１６】
前記割当ステップは、
等しい数のパケットを各サブキューに維持するために、各サブストリームにパケットを割り当てることを特徴とする請求項１５に記載の方法。
【請求項１７】
前記割当ステップは、
特定のサービス品質レベルを各サブキューで維持するために、各サブストリームにパケットを割り当てることを特徴とする請求項１５に記載の方法。
【請求項１８】
前記割当ステップは、
他の複数のサブストリームのサービス品質レベルが変化することを許容しつつ、主サブストリームについて特定の前記サービス品質レベルを維持するために、各サブストリームにパケットを割り当てることを特徴とする請求項１５に記載の方法。
【請求項１９】
移動端末への送信のために、パケットデータストリームにおけるパケットを異なる基地局に割り当てるパケット交換方式のセルラ通信システムの制御装置であって、
前記セルラ通信システムから前記パケットデータストリームを受信するメインキューと、
前記移動端末と通信するために十分な信号強度を有する複数の基地局を特定する特定手段と、
前記パケットデータストリームを、該パケットデータストリームからの異なる複数のデータパケットを含む、前記複数の基地局と等しいか、又はそれより少ない多数のサブストリームに分割するデータ分配器と、
前記移動端末に対する送信のために、前記複数の基地局の中で１つの関連する基地局に、各サブストリームを送信する送信手段と
を備えることを特徴とする制御装置。
【請求項２０】
前記複数の基地局への送信の前に、前記サブストリームをキューに入れる複数のサブキューと、
各サブキューにおけるパケットの数を含むフィードバック情報を、前記サブキューから前記データ分配器へ提供するフィードバック部とを更に備え、
前記データ分配器は、
前記フィードバック情報に基づいて、各サブキューにパケットを割り当てるためのパケット流量調整部を備えることを特徴とする請求項１９に記載の制御装置。
【請求項２１】
全サブストリームにおいて維持されるサービス品質レベルを指定する手段を更に備え、
前記フィードバック情報は、
各基地局のトラフィック負荷に関する情報を含み、
前記パケット流量調整部は、
前記フィードバック情報に基づいて、各サブキューにパケットを割り当てることを特徴とする請求項２０に記載の制御装置。
【請求項２２】
各サブストリームに維持されるべき異なるサービス品質レベルを指定する手段を更に備え、
前記フィードバック情報は、
各基地局のトラフィック負荷に関する情報を含み、
前記パケット流量調整部は、
前記フィードバック情報に基づいて、各サブキューにパケットを割り当てることを特徴とする請求項２０に記載の制御装置。
【請求項２３】
前記メインキューと前記データ分配器との間に、前記メインキューから複数の情報ビットのブロックを受信し、符号語を形成するために前記複数の情報ビットに誤り制御符号化を適用する誤り制御符号器を更に備え、
前記符号語の前記複数の情報ビットは、
前記パケットデータストリームの複数のパケットに渡ってインタリーブされることを特徴とする請求項１９に記載の制御装置。
【請求項２４】
前記データ分配器は、
前記符号語の異なる複数のビットを含むパケットを異なるサブストリームに送信し、それにより前記符号語の異なる複数のビットが異なる複数の基地局によって前記移動端末に対して送信され、
前記移動端末によって受信されるデータはダイバーシチ効果を受けることを特徴とする請求項２３に記載の制御装置。
【発明の詳細な説明】
【技術分野】
【０００１】
本発明は、セルラ通信システムに関するものである。より具体的には、限定を目的とすることなく、本発明はデータストリームを分割し、複数の基地局から複数のデータサブストリームを移動端末に対して送信する装置及び方法を対象としている。
【背景技術】
【０００２】
ＷＣＤＭＡセルラ通信システムでは、回路交換モードの移動端末は、複数の基地局と同時に接続することが可能であり、これはソフトハンドオフと呼ばれる。基本的には、同一の情報が２以上の基地局から移動端末へ送られる。端末の受信機は、情報を復元するために、複数の信号を合成する。回線品質は、複数の信号の当該ダイバーシチによって改善される。当該ダイバーシチ利得はよく知られている。
【０００３】
ハイスピードダウンリンクパケットアクセス（ＨＳＤＰＡ）は、より高いデータ容量（ダウンリンクにおいて最大で１４．４Ｍｂｉｔ／ｓ）を提供するためにＷＣＤＭＡを拡張する移動電話プロトコルである。ＨＳＤＰＡは、ＷＣＤＭＡ標準規格の進化形であり、５以上の要素によって、利用可能なデータ転送速度を増加させるように策定されている。ＨＳＤＰＡは、新たなＷＣＤＭＡチャネルであって、ダウンリンク（基地局から移動局へ）におけるパケットデータ送信を可能にするハイスピードダウンリンク共有チャネル（ＨＳーＤＳＣＨ）を規定する。主な運用形態は自動再送要求（ＡＲＱ）を含み、これにより、パケットは確認応答がなされ、それまでに失敗したパケットの受信の成功を保証するために再送が用いられる。ＨＳＤＰＡの開発において、ソフトハンドオフのアイデアをＡＲＱ動作に直接的に拡張することは難しいことが明らかとなっている。特に、システムに与えるシグナリングの負荷が非常に高くなってしまう。そのために、現在では、ＨＳＤＰＡは端末に対して単一の接続のみを用いる。このように、マクロダイバーシチ利得が高速パケットデータのカバレッジの実現のための大変重要な要素となり得る場面で、マクロダイバーシチ利得が失われている。
【発明の概要】
【発明が解決しようとする課題】
【０００４】
当該技術分野において求められているのは、当該システムのインフラに対するシグナリング負荷を最小化しながら、複数の基地局に、複数のデータサブストリームを移動端末に対して送信させることが可能な装置及び方法である。本発明は、そのような装置及び方法を提供する。
【課題を解決するための手段】
【０００５】
本発明は、セルラ通信システムにおける複数の基地局から移動端末へパケットデータを送信するための装置、制御装置、及び方法を提供する。本発明は、データストリームを、複数の基地局間に分配される複数のサブストリームへシームレスに分割する。各サブストリームは異なる基地局へ送信され、各基地局は、他の基地局と独立して端末を取り扱うことにより、局所的にそのサブストリームを処理する。中央制御は制限されているため、リソース割り当て、スケジューリング、ＡＲＱ等は全て基地局において局所的に処理される。
【０００６】
本発明は、様々な効果を提供する。本発明は、複数のコネクションを調整するための過剰なシグナリングによってシステムに負荷を与えることなく、より良好なリソース割り当てを可能にする。本発明は、基地局間におけるより良好な負荷バランシング、マクロダイバーシチ利得、及び高いデータ転送速度におけるより良好なカバレッジをも提供する。本発明を実行するために要求される既存のネットワークの変更は比較的少なく、かつ、基地局へは影響を与えない。端末では、本発明は特別な受信機を必要としない。しかしながら、受信機が１つ又は複数のアンテナを用いた干渉抑圧のような高度な機能を有する場合には、当該機能は本発明とともに最大限に利用される。本発明は、ユーザの優先度を制御するための新規な機能をも提供する。すなわち、データストリームは全ての接続セルで特定の優先度が与えられ得るし、或いは当該優先度は、例えばトラフィック負荷に応じて、異なる基地局で異なるものにされ得る。
【０００７】
すなわち、一面において、本発明は移動端末にパケットデータストリームを送信するパケット交換方式のセルラ通信システムにおける装置を対象としている。当該装置は、パケットデータストリームを、当該パケットデータストリームからの異なる複数のデータパケットを含む複数のサブストリームに分割するデータ分配器と、移動端末に対する送信のために、当該移動端末との通信において異なる基地局に各サブストリームを送信する送信手段とを備える。
【０００８】
別の側面において、本発明は、移動端末に対する送信のために異なる基地局に対してパケットデータストリームのパケットを割り当てる方法を対象としている。当該方法は、制御装置において、パケットデータストリームを受信する受信ステップと、移動端末と通信するために十分な信号強度を有する複数の基地局を特定する特定ステップと、パケットデータストリームを、当該パケットデータストリームからの異なる複数のデータパケットを含む、複数の基地局と等しいか、又はそれより少ない多数のサブストリームに分割する分割ステップとを含む。当該方法は、更に、各サブストリームを、複数の基地局の中で１つの関連する基地局へ送信する送信ステップと、各基地局に対する伝送速度を決定する決定ステップと、関連する基地局に対する決定された伝送速度に基づいて、各サブストリームにパケットを割り当てる割当ステップとを含む。
【０００９】
別の側面において、本発明は、移動端末への送信のために、パケットデータストリームにおけるパケットを異なる基地局に割り当てるパケット交換方式のセルラ通信システムの制御装置を対象としている。当該制御装置は、セルラ通信システムからパケットデータストリームを受信するメインキューと、移動端末と通信するために十分な信号強度を有する複数の基地局を特定する特定手段と、パケットデータストリームを、当該パケットデータストリームからの異なる複数のデータパケットを含む、複数の基地局と等しいか、又はそれより少ない多数のサブストリームに分割するデータ分配器とを備える。当該制御装置は、更に、移動端末に対する送信のために、複数の基地局の中で１つの関連する基地局に、各サブストリームを送信する送信手段を備える。
【図面の簡単な説明】
【００１０】
【図１】ＨＳＤＰＡを利用して移動局へデータを送信し、移動局からデータを送信する既存のネットワーク構成に関する簡略化したブロック図である。
【図２】本発明の装置の典型的な実施形態の簡略化したブロック図である。
【図３】本発明の装置及び制御装置の典型的な実施形態における、メインデータキューと複数のデータサブキューとの間に挿入されるデータ分配器の簡略化したブロック図である。
【図４】本発明の方法の典型的な実施形態のステップを示すフローチャートである。
【発明を実施するための形態】
【００１１】
以下では、添付された図面を参照しながら好適な実施形態を示すことによって、本発明の本質的な特徴について詳細に説明する。
【００１２】
本発明は、パケットストリームを、同数の基地局に配信されるサブストリームに分割することにより、ある種のマクロダイバーシチ利得を提供する。個別の各パケットは単一のサブストリームに属し、直接的なマクロダイバーシチ利得を獲得しないが、ストリーム全体としてマクロダイバーシチ利得を獲得し、それは当該情報を必要とするアプリケーションによって観察される。誤り制御符号化と複数パケットにわたるインタリービングによって、当該方法の変形は情報レベルにおけるマクロダイバーシチも得ることができる。
【００１３】
当該方法は、ＷＩＭＡＸ、Ｓｕｐｅｒ３Ｇ、又は４Ｇのような何れのパケット交換方式のセルラシステムに対して一般的に適用されるが、ここでの例示的な記載では、一例としてＷＣＤＭＡ／ＨＳＰＡシステムを利用する。
【００１４】
図１は、ＨＳＤＰＡを利用して移動局へデータを送信し、及び移動局からデータを送信する既存のネットワーク構成に関する簡略化したブロック図である。移動端末（ＭＴ）１１は、単一の基地局（ＢＳ）１２を介してシステムに接続される。システムは、当該端末がサポートする変調方式及び符号化方式を含む、当該端末の能力を通知される。データストリームＤ１が到着すると、当該端末に提供される。この例では、データは制御装置１４のキュー１３に位置している。当該データはパケットとしてＢＳへ送信され、矢印１５によって表現される無線ダウンリンクコネクションを介して移動端末へ送信される。基地局は全ての端末に対するダウンリンクコネクションの実効的な品質を推定し、各コネクションに対してどのように基地局リソースを割り当てるかを決定する。当該品質の尺度は、例えば、端末における信号対雑音比（ＳＮＲ）であって、直接的に又は他のパラメータを介して、矢印１６によって表現されるアップリンクコネクションでＢＳに伝達される。
【００１５】
ＢＳは、パケットのスケジューリング及びタイムスロットＴ１の割り当てによって、競合する端末に対してリソースを割り当てる。順番が回ってくると、全電力Ｐ１の特定の割合で、いくつかの拡散符号Ｃ１上で、及び特定の符号化率Ｒ１を用いてパケットが送信される。符号化率は特定の品質、例えば、１０％又は１％のブロック誤り率（ＢＬＥＲ）を達成するために選択される。端末の受信機において、特定のブロックが誤って受信されると、当該端末はＡＲＱプロトコルによってＢＳに通知する。それに応じて再送信又は補完的な送信がスケジューリングされる。最終的には、当該ストリームにおける全てのデータの受信に成功する。端末はＲ１に等しい公称の速度でデータストリームを受信する。実効速度は、目標品質によって定まるＲ１のいくらかの割合であって、再送信の要因となる。例えば、１０％のＢＬＥＲの場合に、実効速度はおおよそ０．９Ｒ１である。
【００１６】
スケジューリング手順は、最も良好なコネクションを有する端末に対してスケジューリングを行う、直接的なラウンドロビン方式や、グリーディ（Greedy）方式であってもよく、又は、それら２つの中間の方式であってもよい。スケジューリング手順は、サービス品質をスケジューリングの決定に取り入れ、異なるデータストリームに対して異なる優先度を与えてもよい。差別化されたサービスは、異なるストリームが異なる優先度をシステムによって割り当てられ、ＢＳがそれに応じて通知されることを想定する。一般に、リソース割り当ては、基地局間における最小限の調整を伴って、各基地局において局所的に処理される。
【００１７】
図２は、本発明の装置の典型的な実施形態の簡略化したブロック図である。この例において、移動端末２１は、２つの基地局ＢＳ−１（２２）、ＢＳ−２（２３）に同時に接続される。制御装置２４において、メインキュー（Ｄ１、Ｄ２）２５は、２つのサブキューＤ１（２６）、Ｄ２（２７）へ分割される。各サブキューは、基地局２２、２３のうち、異なる１つの基地局へ接続される。それらのサブキューにデータを分割する仕組みは、図３と関連して以下に記述されている。制御装置は、基地局制御装置であってもよく、移動端末と通信するのに十分な信号強度を有する複数の基地局を特定する装置や、各基地局へのトラヒック負荷を決定する装置のような、既知の機能的な装置を含む。
【００１８】
ＢＳ−１は、矢印２８で表現される無線ダウンリンクコネクションを介して、サブキューＤ１から移動端末に対してデータパケットを送信し、一方、ＢＳ−２は、矢印２９で表現される無線ダウンリンクコネクションを介して、サブキューＤ２から移動端末に対してデータパケットを送信する。従来のように、ＢＳ−１（２２）は、タイムスロットＴ１、電力Ｐ１、拡散符号Ｃ１、及び符号化率Ｒ１の割り当てを決定する。同様に、ＢＳ−２（２３）は、タイムスロットＴ２、電力Ｐ２、拡散符号Ｃ２、及び符号化率Ｒ２の割り当てを決定する。当該決定は、基地局間における何らの明示的な調整を伴わず、各基地局において局所的に行われる。端末２１は、両方の信号を受信し、それらを処理しなければならない。端末はまた、アップリンクコネクション３０、３１で、ＡＲＱプロセスＡＲＱ１、ＡＲＱ２を介して、各基地局に対して個別に信号を送信する。最も重要なことだが、当該端末はＲ１＋Ｒ２に等しい公称の速度でデータストリームを受信する。
【００１９】
図３は、本発明の装置及び制御装置の典型的な実施形態における、メインデータキュー２５とデータサブキューＤ１（２６）、Ｄ２（２７）との間に挿入されるデータ分配器３５に関する簡略化したブロック図である。データ分配器は、制御装置において本発明を実行するために必要な唯一の新規な機能である。各サブキューは、当該サブキューに対応する各基地局へ送信されるのを待っている多数のパケットを有する。各キューにおける待ち状態のパケットの数は、サブキューに接続される特定の基地局による実効的な伝送速度に反映される。各サブキューのパケット数に関するデータ分配器への（点線の矢印３６、３７で示された）フィードバックにより、データ分配器は、現時点でより少ないパケットを含むサブキューに対してより多くのデータパケットを向けさせることによって、データの流量を調整することができる。
【００２０】
図１に示されている単一コネクションの状況では、システムはデータストリームに対してサービス品質（ＱｏＳ）を割り当てる。基本的に、より高度なサービス品質は、ユーザに対してより高速にデータが到達することを保証する。システムは、スケジューリング、電力、及び拡散符号等に関して異なるリソースレベルをデータストリームに対して割り当てることよって、様々なＱｏＳレベルを提供する。
【００２１】
複数コネクションに関して、本発明は全てのサブストリームに対して同一のＱｏＳを与えてもよいし、サブストリームごとにＱｏＳを変化させてもよい。これは、異なる基地局における負荷のバランスを支援するために行われる。すなわち、高負荷の基地局に対する品質要求が緩和されてもよい。特に、システムは、ＱｏＳが維持されるための主コネクションを指定してもよい。１以上の二次的な基地局は、オーバーフローコネクションとして機能を果たすことができ、当該基地局ではサービス品質が緩和される。主基地局が、負荷及び端末に対するコネクションによって、要求されるサービス品質を維持し得る基地局であるように、主基地局は時間とともに変化してもよい。
【００２２】
従来技術のソフトハンドオフでは、異なる基地局から送信される信号において、各情報ビットは重複して送信されている。その結果として、端末の受信機が複数の信号を合成する際に、各情報ビットはマクロダイバーシチ利得を得る。しかしながら、本発明では、各情報ビットは単一のパケットにマッピングされ、当該パケットは複数の基地局のうちの１つのみから送信される。従って、個々のビットにおいて、ビットレベルでは必ずしもマクロダイバーシチ利得は認識されない。しかしながら、ストリーム全体でマクロダイバーシチ利得が取得され、当該ダイバーシチ利得は、情報を要求するアプリケーションによって認識される。これはより高い実効データ速度において反映され、それはより低遅延につながる。
【００２３】
図４は、本発明の方法の典型的な実施形態のステップを示すフローチャートである。この実施形態において、本発明は、複数パケットに渡る誤り制御符号化及びインタリービングを利用することにより、情報ビットレベルにおける完全なマクロダイバーシチ効果を得ることもできる。ステップ４１で、制御装置２４はメインキュー２５にデータストリームを入れる。情報ビットのブロックは、次に誤り制御符号器に送られ、ステップ４２で、誤り制御符号器は、符号語を作るために誤り制御符号化を適用する。当該目的のために、ターボ符号、畳込み符号、低密度パリティチェック符号等の、どのような誤り制御符号化手法でも利用してよい。ステップ４３で、符号語のビットは、次にデータストリームの複数パケットに渡ってインタリーブされる。ステップ４４で、データ分配器３５は、データストリームを複数のサブストリームに分割し、各サブストリームは異なるＢＳへ送られる。パケットが分配器を通過する際に、自然に適応的な多重化がなされる。すなわち、良好なコネクションはより多くのパケットを取得するようになるため、特定の符号語のビットを含む最大の又は全てのパケットが当該良好なコネクションに進む場合には、当該符号語は問題を抱えて受信される。特別に良好なコネクションが存在しない場合には、パケットはサブストリームに等しく分配されるようになり、これによりダイバーシチ利得がもたらされる。
【００２４】
ステップ４５で、制御装置２４はサブキュー２６、２７に各サブストリームを送る。ステップ４６で、各ＢＳは関連するサブキューからのデータをＭＴ２１へ送信する。当該方法は、次にステップ４７へ移行し、データ分配器３５は、何れのＱｏＳレベルにもかかわらず、異なるＢＳの伝送速度に適合させるために各サブキューを介してデータの流量を調整する。あるいは、ＱｏＳレベルが１以上のサブストリームに指定されている場合には、当該方法は次にステップ４８へ移行してもよく、当該ステップでデータ分配器は、各サブストリームに対して指定されたＱｏＳを達成するために、各サブキューを介してデータの流量を調整する。ステップ４９で、ＭＴは、複数のデータストリームを受信し、処理する。ステップ５０で、ＭＴは、受信データを適当なアプリケーションに提供する。
【００２５】
ＣＤＭＡシステムのために、干渉抑圧能力が組み込まれた多くの高度な受信機構造が提案されている。本発明において、ＭＴ２１は複数の基地局へ接続され、そのために、Ｇ−ＲＡＫＥ受信機のような高度な受信機をＭＴに備えることは有益である。Ｇ−ＲＡＫＥ受信機は、自セル及び他セルの干渉を適度な複雑度で抑圧できる。移動端末は各受信信号のために、チャネル推定値のような特定のパラメータを算出しなければならない。そのようなチャネル推定値は、対応する信号の復調のために有用なだけではなく、別の信号を復調する一方で干渉源として同一の信号をモデリングするためにも有用である。これはＧ−ＲＡＫＥ受信機において容易に実行され得る。また、Ｇ−ＲＡＫＥ受信機は、受信アンテナの数によらず動作する。より多くのアンテナを備えることは、自セル干渉及び他セル干渉の抑圧の大幅な向上に資する。異なる信号に関する明確な知識は、受信機の抑圧能力を向上させるために取り入れられる。
【００２６】
干渉除去、ジョイント復調等の他の技術も、当該複数コネクションの状況に適合され得る。
【００２７】
本発明の好ましい実施形態は、添付した図面に示されているとともに上述の詳細な説明に記載されているが、本発明は、開示された実施形態に限定されず、本発明の範囲を逸脱することなく数々の変形、修正及び置換が可能であると理解される。当該明細書は、請求の範囲によって定められる本発明の範囲内に収まるあらゆる全ての修正を意図している。
【図１】
2010502098.tif 000003
【図２】
2010502098.tif 000004
【図３】
2010502098.tif 000005
【図４】
2010502098.tif 000006
【国際調査報告】
2010502098.tif 000007
2010502098.tif 000008
2010502098.tif 000009